【手続補正書】
【提出日】平成27年4月23日(2015.4.23)
【手続補正１】
【補正対象書類名】特許請求の範囲
【補正対象項目名】全文
【補正方法】変更
【補正の内容】
【特許請求の範囲】
【請求項１】
被検物に照射した測定光の戻り光に基づいて収差を測定する測定装置であって、
測定光の光源と、
前記測定光を被検物に合焦させる合焦手段と、
特定の被検物の識別情報に対応する前記合焦手段の状態を示す情報を記憶部から取得する取得手段と、
前記取得された前記合焦手段の状態を示す情報に基づいて前記合焦手段を制御する制御手段と、
を有することを特徴とする測定装置。
【請求項２】
前記制御手段は、前記情報が示す前記合焦手段の状態を光軸における前記合焦手段の初期位置として合焦位置の探索を開始させることを特徴とする請求項１に記載の測定装置。
【請求項３】
前記合焦手段を経由した前記測定光に基づいて収差を測定する収差測定手段と、
前記収差を測定した際の前記合焦手段の状態を示す情報を前記被検物の識別情報と関連付けて記憶部に記憶させる記憶手段と、
を更に有することを特徴とする請求項１または２に記載の測定装置。
【請求項４】
前記制御手段は、前記合焦手段の制御を継続して行い、
前記測定された収差の値が特定の基準を満たす際の前記合焦手段の状態に基づいて前記記憶用の合焦手段の状態を示す情報を生成する生成手段と、
を更に有することを特徴とする請求項３に記載の測定装置。
【請求項５】
前記収差測定手段により測定された収差に基づいて前記収差を補正する補償光学系を更に有し、
前記記憶手段は、前記測定された収差に基づいて状態が変更された後の前記補償光学系の状態を前記被検物の情報と関連付けて前記記憶部に記憶させることを特徴とする請求項３または４に記載の測定装置。
【請求項６】
画像を撮影するための光を被検眼に照射する撮影光源と、
前記撮影光源からの光を前記被検眼に合焦させる撮影光合焦手段と、
前記撮影光合焦手段を経由した前記撮影光源からの光を検出して前記被検物の画像を得る撮影手段を更に有し、
前記記憶手段は、前記画像の撮影の際の前記撮影光合焦手段の状態を前記被検物の識別情報と関連付けて記憶部に記憶させることを特徴とする請求項３乃至５のいずれか１項に記載の測定装置。
【請求項７】
第一の画像を撮影するための第一の光を被検眼に照射する第一の撮影光源と、
前記第一の撮影光源からの光を前記被検眼に合焦させる第一の撮影光合焦手段と、
前記補償光学系及び前記第一の撮影光合焦手段を経由した前記第一の撮影光源からの光を検出して前記被検物の第一の画像を得る第一の撮影手段と、
前記第一の画像よりも広画角の画像を撮影するための第二の光を被検眼に照射する第二の撮影光源と、
前記第二の撮影光源からの光を前記被検眼に合焦させる第二の撮影光合焦手段と、
前記第二の撮影光合焦手段を経由した前記第二の撮影光源からの光を検出して前記被検物の第二の画像を得る第二の撮影手段と、を有し、
前記記憶手段は、前記第一の画像の撮影の際の前記第一の撮影光合焦手段の状態と、前記第二の画像の撮影の際の前記第二の撮影光合焦手段の状態とを前記被検物の識別情報と関連付けて前記記憶部に記憶させることを特徴とする請求項５に記載の測定装置。
【請求項８】
前記記憶手段は、前記画像の撮影の際の前記合焦手段の状態を前記被検物の識別情報と関連付けて記憶部に記憶させることを特徴とする請求項６または７に記載の測定装置。
【請求項９】
前記被検物は被検者の眼底であることを特徴とする請求項１乃至８のいずれか１項に記載の測定装置。
【請求項１０】
前記被検者の頭部の位置を調整するための調整部を更に有し、
前記記憶手段は、前記測定の際の前記調整部の位置を前記被検物の識別情報と関連付けて記憶部に記憶させることを特徴とする請求項９に記載の測定装置。
【請求項１１】
前記記憶手段は、前記被検者の被検眼の視度の情報を前記合焦手段の状態を示す情報として記憶部に記憶させることを特徴とする請求項９に記載の測定装置。
【請求項１２】
少なくとも前記光源及び合焦手段を内蔵する測定部の前記被検物に対する位置を変更する変更手段を更に有し、
前記記憶手段は、前記測定の際の前記測定部の位置を前記被検物の識別情報と関連付けて記憶部に記憶させることを特徴とする請求項３乃至１１のいずれか１項に記載の測定装置。
【請求項１３】
前記制御手段は、特定の被検物の識別情報に対応して前記記憶手段に記憶された情報に基づく制御を行うことを特徴とする請求項３乃至１２のいずれか１項に記載の測定装置。
【請求項１４】
前記合焦手段は、光軸に沿って移動可能な合焦レンズであり、
前記取得手段は、前記光軸における前記合焦レンズの位置を、前記合焦手段の状態を示す情報として取得し、
前記制御手段は、前記取得された位置に基づいて、前記光軸に沿って前記合焦レンズを移動させることを特徴とする請求項１乃至１３のいずれか１項に記載の測定装置。
【請求項１５】
被検者の被検眼に照射する測定光を被検眼に合焦させる測定光合焦手段と、
前記合焦手段を経由した測定光の戻り光に基づいて収差を測定する収差測定手段と、
前記収差測定手段により測定された収差に基づいて前記収差を補正する補償光学系と、第一の画像を撮影するための第一の光を被検眼に照射する第一の撮影光源と、
前記第一の撮影光源からの光を前記被検眼に合焦させる第一の撮影光合焦手段と、
前記補償光学系及び前記第一の撮影光合焦手段を経由した前記第一の撮影光源からの光を検出して前記被検物の第一の画像を得る第一の撮影手段と、
前記第一の画像よりも広画角の画像を撮影するための第二の光を被検眼に照射する第二の撮影光源と、
前記第二の撮影光源からの光を前記被検眼に合焦させる第二の撮影光合焦手段と、
前記第二の撮影光合焦手段を経由した前記第二の撮影光源からの光を検出して前記被検物の第二の画像を得る第二の撮影手段と、
前記測定光合焦手段、前記収差測定手段、前記補償光学系、前記第一及び第二の撮影光源、前記第一の及び第二の撮影光合焦手段ならびに前記第一及び第二の撮影手段を内蔵する筐体と、
前記筐体の位置を変更する変更手段と、
前記被検者の頭部の位置を調整するための顎受け部と、
前記第一の画像の撮影の際の、前記測定光合焦手段の状態、前記第一の撮影光合焦手段の状態、前記第二の撮影光合焦手段の状態、前記筐体の位置、及び前記顎受け部の位置の少なくともいずれかを前記被検眼の識別情報と関連付けて記憶部に記憶させる記憶手段と、
を有することを特徴とする眼科撮影装置。
【請求項１６】
前記記憶手段は、前記第一の画像の撮影の際の、前記測定光合焦手段の状態、前記第一の撮影光合焦手段の状態、前記第二の撮影光合焦手段の状態、前記筐体の位置、及び前記顎受け部の位置を前記被検眼の識別情報と関連付けて記憶部に記憶させることを特徴とする請求項１５に記載の眼科撮影装置。
【請求項１７】
前記記憶手段は、前記被検眼の視度の情報を前記測定光合焦手段の状態及び前記第二の撮影光合焦手段の状態を示す情報として記憶させるとともに、前記視度の情報とは別に前記第一の撮影光合焦手段の状態を示す情報を前記記憶部に記憶させることを特徴とする請求項１６に記載の眼科撮影装置。
【請求項１８】
被検物に照射した測定光の戻り光に基づいて収差を測定する装置の制御方法であって、前記測定光を前記被検物に合焦させるための合焦手段の前記収差を測定した際の位置を示す情報を被検者の情報と関連付けて記憶部に記憶させるステップと、
被検物の識別情報を取得するステップと、
前記取得された被検物の識別情報を用いて該被検物に関連付けられた合焦手段の位置を示す情報を前記記憶部から取得するステップと、
前記取得された合焦手段の位置を示す情報に基づいて前記測定光を合焦させる制御を指示するステップと、
を有することを特徴とする制御方法。
【請求項１９】
収差を補正する収差補正デバイスを経由した光を照射することにより撮影される被検眼の第一の画像と、該第一の画像よりも広画角の第二の画像とを撮影するための、位置を変更可能な測定部と、被検者の頭部の位置を調整するための顎受けとを有する眼科撮影装置の制御方法であって、
前記第一の画像の撮影する際の、眼科撮影装置の測定部の位置を示す情報と、顎受け部の位置を示す情報と、収差を測定するための測定光を被検眼に合焦させるための合焦手段の状態を示す情報と、第一の画像を撮影するための撮影光を合焦させるための合焦手段の状態を示す情報と、前記第一の画像よりも広画角の第二の画像を撮影するための撮影光を合焦させるための合焦手段の状態を示す情報と、の少なくともいずれかを前記被検眼の識別情報と関連付けて記憶部に記憶させるステップと、
特定の被検眼の識別情報を用いて、前記被検眼に関連付けられた前記情報を前記記憶部から取得するステップと、
前記情報に基づいて前記眼科撮影装置の各部を制御するステップと、
を有することを特徴とする制御方法。
【請求項２０】
請求項１８または１９に記載の制御方法をコンピュータに実行させるための、コンピュータ読み取り可能なプログラム。
【手続補正２】
【補正対象書類名】明細書
【補正対象項目名】０００５
【補正方法】変更
【補正の内容】
【０００５】
そこで、本発明の実施形態に係る測定装置は、
被検物に照射した測定光の戻り光に基づいて収差を測定する測定装置であって、
測定光の光源と、
前記測定光を被検物に合焦させる合焦手段と、
特定の被検物の識別情報に対応する前記合焦手段の状態を示す情報を記憶部から取得する取得手段と、
前記取得された前記合焦手段の状態を示す情報に基づいて前記合焦手段を制御する制御手段と、を有することを特徴とする。